(57)【要約】【課題】撮像装置及び該撮像装置を備えたデータ処理装置を提供する。【解決手段】本発明のイメージ撮像装置及びこれを備えたデータ処理装置は、基板に搭載されたイメージセンサと、基板の上面に固設されるフレーム部材と、イメージセンサの上面から離隔可能に、フレーム部材内に挿入される光学部材と、フレーム部材に結合した蓋部材と、光学部材及びイメージセンサの上面の間に介在して、光学部材をイメージセンサから遠ざかる方向に加圧して、光学部材を蓋部材に密着させる弾性部材とを備える。【選択図】図１
2007171950.tif 000002
【特許請求の範囲】
【請求項１】
基板に搭載されたイメージセンサと、
前記基板の上面に固設されるフレーム部材と、
前記イメージセンサの上面から離隔可能に、前記フレーム部材内に挿入される光学部材と、
前記フレーム部材に結合した蓋部材と、
前記光学部材及び前記イメージセンサの上面の間に介在して、前記光学部材を前記イメージセンサから遠ざかる方向に加圧して、前記光学部材を前記蓋部材に密着させる弾性部材と
を備えることを特徴とする撮像装置。
【請求項２】
前記光学部材は、
前記イメージセンサに入射光を集光するレンズと、
前記レンズを固定支持し、前記弾性部材に接触する接触部及び前記蓋部材側に突出して接触する第１突出部を備えるレンズホルダと
を備えることを特徴とする請求項１に記載の撮像装置。
【請求項３】
前記弾性部材は、コイル、ウレタン、スポンジ、樹脂、又は金属からなる弾性材料を含むことを特徴とする請求項１又は２に記載の撮像装置。
【請求項４】
前記第１突出部は、前記レンズホルダの先端部に沿って連続して一体に具備されることを特徴とする請求項２に記載の撮像装置。
【請求項５】
前記第１突出部は、前記レンズホルダの先端部において互いに離隔されて複数備えられることを特徴とする請求項２に記載の撮像装置。
【請求項６】
前記フレーム部材は、その内周面から突出して前記光学部材を支持するための支持部をさらに備え、
前記光学部材は、その外面から突出して前記フレームの支持部上に固着される水平突出部をさらに備えることを特徴とする請求項１又は２に記載の撮像装置。
【請求項７】
前記光学部材は、前記弾性部材の動きを最小化するために、前記接触部の外側から前記基板側に伸びる第２突出部をさらに備えることを特徴とする請求項２に記載の撮像装置。
【請求項８】
プロセッサと、
前記プロセッサに動作上結合した撮像装置とを備え、
前記撮像装置は、
基板に搭載されたイメージセンサと、
前記基板の上面に固設されるフレーム部材と、
前記イメージセンサの上面から離隔可能に、前記フレーム部材内に挿入される光学部材と、
前記フレーム部材に結合した蓋部材と、
前記光学部材及び前記イメージセンサの上面の間に介在して、前記光学部材を前記イメージセンサから遠ざかる方向に加圧して、前記光学部材を前記蓋部材に密着させる弾性部材と
を備えることを特徴とするデータ処理装置。
【請求項９】
基板に搭載されたイメージセンサと、
前記基板の上面に固設され、その内周面から突出した支持部を備えるフレーム部材と、
前記フレーム部材の支持部上に固着される光学部材と、
前記フレーム部材に結合する蓋部材と、
前記光学部材及び前記蓋部材の間に介在して、前記光学部材を前記フレーム部材の支持部側に加圧して密着させる第１弾性部材と
を備えることを特徴とする撮像装置。
【請求項１０】
前記光学部材は、
前記イメージセンサに入射光を集光するレンズと、
前記レンズを固定支持し、前記フレーム部材の支持部に固着する第１突出部及び前記第１弾性部材に接触する接触部を備えるレンズホルダと
を備えることを特徴とする請求項９に記載の撮像装置。
【請求項１１】
前記弾性部材は、コイル、ウレタン、スポンジ、樹脂、または金属からなる弾性材料を含むことを特徴とする請求項９又は１０に記載の撮像装置。
【請求項１２】
前記第１突出部は、前記レンズホルダの先端部に沿って連続して一体に具備されることを特徴とする請求項１０に記載の撮像装置。
【請求項１３】
前記第１突出部は、前記レンズホルダの先端部において互いに離隔される複数の接触部で備えられることを特徴とする請求項１０に記載の撮像装置。
【請求項１４】
前記フレーム部材の支持部は、前記フレーム部材の内周面に沿って連続して一体に具備されることを特徴とする請求項９又は１０に記載の撮像装置。
【請求項１５】
前記光学部材と前記イメージセンサの上面との間に介在する第２弾性部材をさらに備えることを特徴とする請求項９又は１０に記載の撮像装置。
【請求項１６】
前記第２弾性部材は、コイル、ウレタン、スポンジ、樹脂、または金属からなる弾性材料を含むことを特徴とする請求項１５に記載の撮像装置。
【請求項１７】
前記光学部材は、前記第１弾性部材の動きを最小化するために、前記接触部の外側から前記蓋部材側に突出した第２突出部をさらに備えることを特徴とする請求項９又は１０に記載の撮像装置。
【請求項１８】
プロセッサと、
前記プロセッサに動作上結合した撮像装置とを備え、
前記撮像装置は、
基板に搭載されたイメージセンサと、
前記基板の上面に固設され、その内周面から突出した支持部を備えるフレーム部材と、
前記フレーム部材の支持部上に固着される光学部材と、
前記フレーム部材の先端部に結合する蓋部材と、
前記光学部材及び前記蓋部材の間に介在して、前記光学部材を前記フレーム部材の支持部側に加圧して密着させる第１弾性部材と
を備えることを特徴とするデータ処理装置。
【発明の詳細な説明】
【技術分野】
【０００１】
本発明は、撮像装置及び該撮像装置を備えたデータ処理装置に関する。
【背景技術】
【０００２】
撮像装置において、焦点距離を一定に維持するためには、イメージセンサとレンズとの間の距離を一定に維持する必要がある。このために、従来の撮像装置では、イメージセンサが搭載された基板に接着剤で固定されたレンズフレームとレンズを固定するレンズホルダとがねじ締結などにより互いに結合することにより、レンズがイメージセンサに対して上下運動するようになり、これにより、レンズとイメージセンサとの間の距離が決定された。このような従来の撮像装置は、特許文献１に開示されている。ところが、ねじ締結を使用する従来の撮像装置は、手作業によりねじ締結されるため、製造時間が長くなり、かつ、作業者の状態により焦点距離が精密に制御し難いという問題が発生する恐れがある。
【０００３】
他の従来の撮像装置では、レンズフレームの内周面に挿入され、イメージセンサの上面に脚部を介して接触するレンズホルダが、その上面に位置するコイルによりイメージセンサ側に加圧されることにより、レンズとイメージセンサとの間の距離が決定された。このような従来の撮像装置は、特許文献２に開示されている。ところが、この方式を採択した従来の撮像装置では、レンズホルダの脚部がイメージセンサの上面と直接接触しているため、実験のための人為的な外部衝撃または管理不徹底による偶然な衝撃などにより撮像装置に衝撃が加えられた場合、コイルがレンズホルダに衝撃を加えるようになり、結局、イメージセンサが衝撃を受けるようになる。このように、レンズホルダの脚部がイメージセンサの上面に加える衝撃は、イメージセンサを破壊するか、または焦点距離を変更させるという問題を引き起こす恐れがある。
【特許文献１】米国許第６，９００，９１３号
【特許文献２】米国特許第６，８９１，６７９号
【発明の開示】
【発明が解決しようとする課題】
【０００４】
本発明は、上述の問題点に鑑みてなされたもので、その目的は、上述の問題のうち、少なくとも１つ以上を解決することができる撮像装置及び該撮像装置を備えるデータ処理装置を提供することにある。
【０００５】
本発明の他の目的、特徴または利点は、添付した図面及びこれと関連した実施形態を通じて把握することができる。
【課題を解決するための手段】
【０００６】
本発明の一実施形態に係る撮像装置は、基板に搭載されたイメージセンサと、前記基板の上面に固設されるフレーム部材と、前記イメージセンサの上面から離隔可能に、前記フレーム部材内に挿入される光学部材と、前記フレーム部材に結合した蓋部材と、前記光学部材及び前記イメージセンサの上面の間に介在して、前記光学部材を前記イメージセンサから遠ざかる方向に加圧して、前記光学部材を前記蓋部材に密着させる弾性部材とを備えることができる。
【０００７】
この実施形態において、前記光学部材は、前記イメージセンサに入射光を集光するレンズと、前記レンズを固定支持し、前記弾性部材に接触する接触部及び前記蓋部材側に突出する第１突出部を備えるレンズホルダとを備えることができる。
【０００８】
この実施形態において、前記第１突出部は、前記レンズホルダの先端部に沿って連続して一体に具備されることができる。
【０００９】
この実施形態において、前記第１突出部は、前記レンズホルダの先端部において互いに離隔されて複数備えられることができる。
【００１０】
この実施形態において、前記フレーム部材は、その内周面から突出して前記光学部材を支持するための支持部をさらに備え、前記光学部材は、その外面から突出して前記フレームの支持部上に固着される水平突出部をさらに備えることができる。
【００１１】
この実施形態において、前記光学部材は、前記弾性部材の動きを最小化するために、前記接触部の外側から前記基板側に伸びる第２突出部をさらに備えることができる。
【００１２】
この実施形態において、前記弾性部材は、コイル、ウレタン、スポンジ、樹脂、又は金属からなる弾性材料を含むことができる。
【００１３】
本発明の一実施形態のデータ処理装置は、プロセッサと、前記プロセッサに動作上結合した撮像装置とを備え、前記撮像装置は、基板に搭載されたイメージセンサと、前記基板の上面に固設されるフレーム部材と、前記イメージセンサの上面から離隔可能に、前記フレーム部材内に挿入される光学部材と、前記フレーム部材に結合した蓋部材と、前記光学部材及び前記イメージセンサの上面の間に介在して、前記光学部材を前記イメージセンサから遠ざかる方向に加圧して、前記光学部材を前記蓋部材に密着させる弾性部材とを備えることができる。
【００１４】
本発明の一実施形態の撮像装置は、基板に搭載されたイメージセンサと、前記基板の上面に固設され、その内周面から突出した支持部を備えるフレーム部材と、前記フレーム部材の支持部上に固着される光学部材と、前記フレーム部材に結合する蓋部材と、前記光学部材及び前記蓋部材の間に介在して、前記光学部材を前記フレーム部材の支持部側に加圧して密着させる第１弾性部材とを備えることができる。
【００１５】
この実施形態において、前記光学部材は、前記イメージセンサに入射光を集光するレンズと、前記レンズを固定支持し、前記フレーム部材の支持部に固着する第１突出部及び前記第１弾性部材に接触する接触部を備えるレンズホルダとを備えることができる。
【００１６】
この実施形態において、前記第１突出部は、前記レンズホルダの先端部に沿って連続して一体に具備されることができる。
【００１７】
この実施形態において、前記第１突出部は、前記レンズホルダの先端部において互いに離隔される複数の接触部で備えられることができる。
【００１８】
この実施形態において、前記フレーム部材の支持部は、前記フレーム部材の内周面に沿って連続して一体に具備されることができる。
【００１９】
この実施形態において、前記フレーム部材の支持部は、前記フレーム部材の内周面に沿って互いに離隔されて複数備えられることができる。
【００２０】
この実施形態において、前記第１弾性部材は、コイル、ウレタン、スポンジ、樹脂、または金属からなる弾性材料を含むことができる。
【００２１】
この実施形態において、前記光学部材と前記イメージセンサの上面との間に介在する第２弾性部材をさらに備えることができる。
【００２２】
この実施形態において、前記第２弾性部材は、コイル、ウレタン、スポンジ、樹脂、または金属からなる弾性材料を含むことができる。
【００２３】
この実施形態において、前記光学部材は、前記第１弾性部材の動きを最小化するために、前記接触部の外側の光学部材のエッジから前記蓋部材側に突出した第２突出部をさらに備えることができる。
【００２４】
本発明の一実施形態のデータ処理装置は、プロセッサと、前記プロセッサに動作上結合した撮像装置とを備え、前記撮像装置は、基板に搭載されたイメージセンサと、前記基板の上面に固設され、その内周面から突出した支持部を備えるフレーム部材と、前記フレーム部材の支持部上に固着される光学部材と、前記フレーム部材の先端部に結合する蓋部材と、前記光学部材及び前記蓋部材の間に介在して、前記光学部材を前記フレーム部材の支持部側に加圧して密着させる第１弾性部材とを備えることができる。
【発明の効果】
【００２５】
本発明の一実施形態によれば、外部衝撃が撮像装置に加えられても、その衝撃は基板に伝達され、イメージセンサは衝撃から保護される。また、弾性部材の加圧により、光学部材とイメージセンサとの間の距離を一定に維持できる。
【００２６】
本発明の一実施形態によると、外部衝撃が撮像装置に加えられても、弾性部材がイメージセンサに加えられる衝撃を遮断することにより、イメージセンサは衝撃から保護される。
【００２７】
本発明の一実施形態によると、フレーム部材の支持部の高さ及び／または光学部材の突出部の長さを適切に調節することにより、レンズとイメージセンサとの間の距離を適切に設定することができる。
【発明を実施するための最良の形態】
【００２８】
以下、添付した図面を参照して、本発明の実施形態を詳細に説明する。しかしながら、本発明は、ここで説明される実施形態に限定されず、他の形態で具体化され得る。むしろ、ここで紹介される実施形態は、開示された内容が徹底かつ完全になり得るように、そして当業者に本発明の思想を十分に伝達するために提供されるものである。
【００２９】
図面において、部材（ｍｅｍｂｅｒ）、成分（ｃｏｍｐｏｎｅｎｔ）、または要素（ｅｌｅｍｅｎｔ）の大きさ、相対的な大きさは、本発明に対するさらに明確な理解のために多少誇張されて示されている。また、図面に示す部材、成分または要素の形状が製造工程上の変更などにより多少変更され得る。したがって、本明細書に開示された実施形態は、特別な言及のない限り、図面に示す形状に限定されてはならず、ある程度の変形を含むものと理解すべきである。
【００３０】
本明細書の多様な実施形態において、第１、第２、第３などの用語が多様な部材、成分、要素またはこれらの一部分などを記述するために用いられたが、これらの部材、成分、要素またはこれらの一部分などがこのような用語により限定されてはならない。また、これらの用語は、単にある部材、成分、要素またはこれらの一部分を他の部材、成分または要素と区別させるために用いられるだけである。したがって、ある一実施形態で第１部材として言及されたものが他の実施形態では第２部材として言及されることもある。
【００３１】
また、部材、成分または要素と関連して言及された相対的な用語、例えば「上面」、「下面」、「左側面」、「右側面」などは、添付された図面で部材、成分または要素をさらに容易に説明するために用いられるだけである。同様に、部材、成分、または要素と関連して言及された相対的な用語、例えば「上側」、「下側」、「左側」、「右側」などは、添付された図面で他の部材、成分または要素に対する相対的な関係をさらに容易に説明するために用いられるだけである。このような相対的な用語は、使用または動作において添付された図面において示された方向だけでなく、他の方向も含むということは容易に理解できるはずである。例えば、添付された図面において、他の部材の「下側」に位置するものと記述された部材は、装置が裏返される場合、他の部材の「上側」に位置するはずである。したがって、例示的な用語の「下側」は、「上側」と「下側」を全て含むものと理解すべきである。同様に、装置が１８０度回転する場合を考慮すると、「左側」は、「左側」及び「右側」を全て含むものと理解すべきである。
【００３２】
図１は、本発明の一実施形態に係る撮像装置を説明するための概略的な断面図であって、撮像装置に光が入射する方向に撮像装置を切断したときの断面図である。同図に示すように、本発明の一実施形態に係る撮像装置１００は、基板１０、イメージセンサ２０、フレーム部材３０、光学部材４０、蓋部材５０、弾性部材６０を備える。基板１０は、例えばプリント回路基板（ＰＣＢ）であってもよい。イメージセンサ２０は、ＣＭＯＳイメージセンサまたはＣＣＤイメージセンサなどで構成することができ、基板１０の上面に搭載される。イメージセンサ２０は、画素が二次元的に配列された光電変換部と、この光電変化部の周囲に形成される周辺回路部とを備える。周辺回路部の外側のエッジにパッドが配列され、ワイヤボンディングなどの適切な方法により、パッドが基板１０の回路に電気的に接続される。
【００３３】
例えば、基板１０は、適切な方法により、フレキシブルプリント回路基板（ＦＰＣＢ）に電気的に接続することができる。フレキシブルプリント回路基板は、コネクタ（ｃｏｎｎｅｃｔｏｒ）に接続され、このコネクタは、携帯電話のようなデータ処理装置に接続することができる。
【００３４】
フレーム部材３０は、基板１０の上面に固定接着され、光学部材４０を支持する支持部３３を備える。フレーム部材３０の支持部３３は、基板１０の上面から所定の高さを有するが、イメージセンサ２０と光学部材４０との間の距離は、フレーム部材３０の支持部３３の高さに依存できる。フレーム部材３０の支持部３３は、フレーム部材３０の内周面から内部空間に突出する。フレーム部材３０の内周面は、内部空間に挿入される光学部材４０の外面の形状に対応する形態を示す。例えば、光学部材４０の外周面の形状が円形の場合、フレーム部材３０の内周面の形状は円形である。しかしながら、フレーム部材３０の外周面の形状は、光学部材４０の形状とは関係なく、例えば円形、四角形などの多角形の形状を表すことができる。
【００３５】
フレーム部材３０の支持部３０の例示的な形態は、図２Ａ及び図２Ｂに概略的に示されている。図２Ａ及び図２Ｂは、図１のＩ−Ｉ′線断面図である。フレーム部材３０は、図２Ａに示すように、円形の内周面に沿って連続的に形成された輪型の支持部３３ａを備えることができる。または、図２Ｂに示すように、フレーム部材３０は、円形の内周面に沿って一定間隔で互いに離隔された複数の、例えば４個の支持部３３ｂを備えることができる。ここで、フレーム部材３０の外周面が円形で示されたが、これは、単に例示に過ぎず、四角形などの多角形であってもよい。
【００３６】
光学部材４０は、フレーム部材３０内に挿入されるが、イメージセンサ２０に入射される光を集光するレンズ４３と、このレンズ４３を固定するレンズホルダ４５とを備える。レンズ４３は、例えば透明なガラスまたはプラスチック材料を使用して形成され、上側（例えば、光が入射される側）に配置された第１レンズ４３ｕ及び下側（例えばイメージセンサに隣接した側）に配置された第２レンズ４３ｌを備えることができる。レンズの数は特別に制限されず、１つ、またはそれ以上であってもよい。レンズホルダ４５には、弾性部材６０と接触する接触部４５ｃが備えられる。また、レンズホルダ４５には、フレーム部材３０の支持部３３上に固着する第１突出部４５ｐ１が備えられる。光学部材４０の第１突出部４５ｐ１は、基板１０側に伸びて、フレーム部材３０の支持部３３上に固着する。
【００３７】
光学部材４０の第１突出部４５ｐ１は、光学部材４０の下面の外周面に沿って一定の間隔で離隔した複数の突出部で支えることができる。または、光学部材４０の第１突出部４５ｐ１は、光学部材４０の下面の外周面に沿って連続的に形成された輪型で支えることができる。例えば、フレーム部材３０の支持部３３上に固着されて接触する光学部材４０の第１突出部４５ｐ１の下面は、イメージセンサ２０上に位置してもよい。
【００３８】
光学部材４０の第１突出部４５ｐ１の形態及び個数は、フレーム部材３０の支持部３３の形態及び個数に関係なく形成することができる。例えば、フレーム部材３０が、図２Ａに示すような一体型の支持部３３ａを備える場合、光学部材４０は、一体型の第１突出部または互いに離隔された複数の突出部で支えることができる。同様に、フレーム部材３０が、図２Ｂに示すような複数の枝支部３３ｂを備える場合、光学部材４０は、一体型の第１突出部または互いに離隔された複数の突出部で支えることができる。
【００３９】
蓋部材５０は、基板１０と接着しないフレーム部材３０の先端部に結合する。例えば、蓋部材５０は、フレーム部材３０の上側、例えば光が入射される側の先端部に形成された開口部内に挿入されて、フレーム部材３０に結合することができる。または、蓋部材５０は、フレーム部材３０と一体に形成することができる。これにより、光学部材４０は、フレーム部材３０、基板１０、蓋部材５０により形成された内部空間に位置する。
【００４０】
蓋部材５０と光学部材４０との間に弾性部材６０が位置する。弾性部材６０は、例えばここに限定されるものではなく、コイル、ウレタン、またはスポンジを含む。また、長時間の間、安定した弾性力を表わすことのできる樹脂または金属からなる弾性材料を用いることができる。例えば、蓋部材５０をフレーム部材３０内に挿入することにより、弾性部材６０は、光学部材４０を基板１０側に加圧して、光学部材４０の第１突出部４５ｐ１をフレーム部材３０の支持部３３に密着させて位置を固定させる。
【００４１】
蓋部材５０は、フィルタ５３及び遮光板５５を備え、遮光板５５により光学部材４０に入射する光量を調節する開口部５７が形成される。フィルタ５３は、例えば赤外線吸収特性のある素材からなる。
【００４２】
図３は、図１を参照して説明した撮像装置１００において、弾性部材６０と光学部材４０との間の例示的な結合関係を説明するための分解斜視図である。図３に示すように、光学部材４０の上面に弾性部材６０と結合する接触部４５ｃが備えられる。接触部４５ｃの対向面にフレーム部材３０の支持部３３に固着する第１突出部４５ｐ１が位置する。光学部材４０と蓋部材５０との間に弾性部材６０が介在し、弾性部材６０は、光学部材４０の接触部４５ｃに接触する。
【００４３】
本実施形態によれば、光学部材４０が蓋部材５０により加圧される弾性部材６０により、フレーム部材３０の支持部３３に密着固定される。したがって、外部衝撃が撮像装置１００に加えられても、その衝撃は、フレーム部材３０の支持部３３または基板１０に伝達され、イメージセンサ２０は衝撃から保護される。また、従来のねじ締結に比べて、簡単に組み立て可能であり、同時に一定の焦点距離を有する撮像装置を組み立てることができる。
【００４４】
本実施形態において、フレーム部材３０の支持部３３の高さ、及び／または光学部材４０の第１突出部４５ｐ１の長さｌ１を適切に調節することにより、レンズ４３とイメージセンサ２０との間の距離を適切に設定することができる。
【００４５】
図４は、本発明の他の実施形態に係る撮像装置４００を説明するための概略的な断面図であって、撮像装置に光が入射する方向に撮像装置を切断したときの断面図である。図１を参照して説明した撮像装置１００とは異なり、弾性部材が光学部材及びイメージセンサの上面の間に介在し、光学部材には、蓋部材と接触する突出部が備えられる。例えば、図１の撮像装置１００の光学部材４０の接触部４０ｃに対応する位置に本実施形態の突出部が形成され、弾性部材と接触する接触部がイメージセンサと対向するように形成される。
【００４６】
図４に示すように、本実施形態の撮像装置４００において光学部材４０′は、その上面に蓋部材５０に向かって突出した第１突出部４５′ｐ１を備える。第１突出部４５′ｐ１の長さｌ２は、レンズ４３とイメージセンサ２０との間の距離を決定する１つの因子として機能する。光学部材４０′の第１突出部４５′ｐ１は、光学部材４０′の上面の外周面に沿って、一定の間隔で離隔された複数の突出部で支えることができる。または、光学部材４０′の突出部４５′ｐ１は、光学部材４０′の上面の外周面に沿って連続的に形成された円板型（または輪型）で支えることができる。光学部材４０の下面に弾性部材６０と接触する接触部４５′ｃが備えられる。光学部材４０′の接触部４５′ｃとイメージセンサ２０の上面との間に、弾性部材６０が介在する。弾性部材６０は、光学部材４０′を蓋部材５０側に加圧し、これにより、光学部材４０′が蓋部材５０に密着する。例えば、蓋部材５０をフレーム部材３０に挿入すると、蓋部材５０は、その下面に接触した光学部材４０′の第１突出部４５′ｐ１を基板１０側に加圧する。このとき、イメージセンサ２０の上面と光学部材４０′との間に介在する弾性部材６０は、その弾性力として蓋部材５０による加圧に反撥し、この反撥力が光学部材４０′を蓋部材５０側に再度加圧する。これにより、光学部材４０′が蓋部材５０の下面に密着固定され、結果的に光学部材４０′とイメージセンサ２０との間の距離が一定に固定される。
【００４７】
本実施形態において、イメージセンサ２０と弾性部材６０との間の例示的な結合関係が、図５に概略的に示されている。図５に示すように、イメージセンサ２０は、光電変換部２３及び周辺回路部２５を備え、周辺回路部２５の外側のエッジにパッド２７が位置する。弾性部材６０は、例えば光電変換部２３及びパッド２７の間の周辺回路部２５と接触する。
【００４８】
本実施形態によると、光学部材４０′の下面とイメージセンサ２０の上面との間に弾性部材６０が位置する。したがって、本実施形態によると、外部衝撃が撮像装置４００に加えられても、弾性部材６０がイメージセンサ２０に加えられる衝撃を遮断することにより、イメージセンサ２０は衝撃から保護される。
【００４９】
本実施形態において、光学部材４０′の第１突出部４５′ｐ１の長さｌ２を適切に調節することにより、レンズ４３とイメージセンサ２０との間の距離を適切に設定することができる。
【００５０】
図６は、図４を参照して説明した撮像装置４００において、弾性部材６０と光学部材４０′との間の例示的な結合関係を示すのための分解斜視図である。光学部材４０′の第１突出部４５′ｐ１は、蓋部材５０側に伸びて接触する。光学部材４０′の接触部４５′ｃは、弾性部材６０と接触する。弾性部材６０は、イメージセンサ２０の上面と光学部材４０′の下面との間に介在する。
【００５１】
図７は、図１〜図３を参照して説明した撮像装置の変形撮像装置１００′を概略的に示す。図７に示すように、本実施形態の撮像装置１００′は、光学部材４０とイメージセンサ２０の上面との間にさらに他の弾性部材６０′を備える。この実施形態において、第１突出部４５ｐ１は、弾性部材６０′が動くのを防止する機能も果たす。
【００５２】
図８は、図４〜図６を参照して説明した撮像装置の変形撮像装置４００′を概略的に示す。図８に示すように、本実施形態において、光学部材４０′は、第２突出部４５′ｐ２をさらに備える。すなわち、光学部材４０′の接触部４５′ｃの外側のエッジに基板１０Ｃ側に向かって突出した第２突出部４５′ｐ２をさらに備えることができる。この第２突出部４５′ｐ２は、弾性部材６０が接触部４５′ｃに接触結合した後、図面で左右に移動するのを防止する機能を果たすことができる。この場合、この第２突出部４５′ｐ２は、図１の撮像装置１００の第１突出部４５ｐ１に対応するものと見なされる。
【００５３】
また、本実施形態において、フレーム部材３０は、さらに他の支持部３３′をさらに備えることができる。この支持部３３′は、フレーム部材３０の内周面から光学部材４０′側に伸びる。フレーム部材３０がさらに他の支持部３３′をさらに備える場合、光学部材４０の第２突出部４５′ｐ２は、この支持部３３′上に固着する。この場合、この支持部３３′は、図１の支持部３３に対応するものと見なされる。
【００５４】
先の図１を参照して説明した撮像装置１００の光学部材４０でも、図８の光学部材４０′の第２突出部４５′ｐ２の機能、例えば、弾性部材６０の左右移動を防止する機能を備えることができ、これを図９を参照して説明する。図９に示すように、光学部材４０の接触部４５ｃの外側のエッジに第２突出部４５ｐ２が備えられる。この第２突出部４５ｐ２の上面は、その機能を適切に行うために、接触部４５ｃの上面より高く形成される。また、本実施形態で第２突出部４５ｐ２の上面が蓋部材５０に接触するように伸ばすこともできる。
【００５５】
フレーム部材３０の内部に挿入される光学部材４０が動くのを最小化するために、以上で説明した本発明の様々な実施形態において、光学部材４０とフレーム部材３０とを独特に結合することができる。光学部材４０及びフレーム部材３０の間の例示的な結合関係を、図１０Ａ及び図１０Ｂ、図１１Ａ及び図１１Ｂを参照して説明する。
【００５６】
図１０Ａは、フレーム部材３０の内周面に向かって突出した突出部４５ｐ３（以下、説明の便宜上、「水平突出部」と記す）を備える光学部材４０を概略的に示す斜視図であり、図１０Ｂは、図１０ＡのＩＩ−ＩＩ′線断面図である。光学部材４０は、その側面に水平突出部４５ｐ３を備える。この水平突出部４５ｐ３は、例えば光学部材４０の側面から垂直方向に長く伸びて形成することができる。一方、フレーム部材３０は、図１０Ｂに示すように、その内周面に光学部材４０の水平突出部４５ｐ３に対応する凹部３５ｒを備える。光学部材４０の水平突出部４５ｐ３は、フレーム部材３０の内周面に形成された凹部３５ｒに挿入される。ここで、水平突出部４５ｐ３及び凹部３５ｒの数は、特別に制限されず、光学部材４０とフレーム部材３０との間の安全な結合のために、多様に設定することができる。
【００５７】
これとは反対に、光学部材４０が凹部を備え、フレーム部材３０がこの凹部に対応する突出部を備えることができ、これを図１１Ａ及び図１１Ｂを参照して説明する。図１１Ｂは、図１１ＡのＩＩＩ−ＩＩＩ′線断面図である。図１１Ａに示すように、光学部材４０は、その側面に凹部４７ｒを備える。一方、図１１Ｂに示すように、フレーム部材３０は、その内周面から内側へ突出した突出部３５ｐを備える。フレーム部材３０の突出部３５ｐは、例えばフレーム部材３０の内周面から垂直方向へ長く伸びて形成することができる。光学部材４０がフレーム部材３０内に挿入されるとき、光学部材４０の凹部４７ｒは、フレーム部材３０の突出部３５ｐを収容する。ここで、凹部４７０及び突出部３５ｐの数は、特別に制限されず、光学部材４０とフレーム部材３０との間の安全な結合のために、多様に設定することができる。
【００５８】
上述の光学部材４０及びフレーム部材３０の間の結合方式は、フレーム部材３０及び蓋部材５０の間の結合に同様に適用することができる。
【００５９】
本発明の撮像装置は、例えば携帯電話のようなデータ処理装置に、例えばフレキシブルプリント回路基板（ＦＰＣＢ）などの適切な手段を使用して動作上結合し得る。
【００６０】
本発明の撮像装置を備えるデータ処理装置１２００に対する機能ブロック図は、図１２に概略的に示されている。本発明の撮像装置を備えることのできるデータ処理装置１２００は、ここに限定されるものではなく、コンピュータシステム、カメラシステム、ＰＤＡ、ＡＶ装置、ビデオカメラ、光マウス、指紋認識などの生体認識システム、テレビ、スキャナー、ビデオ電話機、電子監視システム（ｓｕｒｖｅｉｌｌａｎｃｅ  ｓｙｓｔｅｍ）、視覚機械システム（ｍａｃｈｉｎｅ  ｖｉｓｉｏｎ  ｓｙｓｔｅｍ）、車両航法システム、自動焦点システム、星追跡システム、運動感知システム、イメージ安定システム、イメージデータ圧縮システム、そして本発明の撮像装置を使用することができる全てのデータ処理装置を含む。
【００６１】
図１２に示すように、データ処理装置１２００は、バス１２０４を介して様々な構成装置と通信するプロセッサ１２０２を備える。バス１２０４に接続した構成装置のうち、いくつかは、例えば入出力装置１２０６及び撮像装置１２０８は、データ処理装置１２００への／から入力／出力通信を提供する。バス１２０４に接続した装置のうち、いくつかは、例えばラム（ＲＡＭ）１２１０、ハードドライブ１２１２、フロッピー（登録商標）ディスクドライブ１２１４、コンパクトディスクドライブ１２１６のような、１つ以上の周辺メモリ装置を含む。撮像装置１２０８のイメージセンサは、プロセッサ１２０２またはデータ処理装置１２００の他の構成装置から制御信号またはデータを受ける。撮像装置１２０８のイメージセンサは、受けた制御信号またはデータに基づいてイメージを定義する信号をプロセッサ１２０２に提供でき、プロセッサ１２０２は、撮像装置１２０８のイメージセンサから受けた信号を処理する。
【００６２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６３】
【図１】本発明の一実施形態に係る撮像装置を説明するための概略的な断面図であって、撮像装置に光が入射する方向に撮像装置を切断したときの断面図である。
【図２Ａ】図１を参照して説明した撮像装置のフレーム部材を説明するための図１のＩ−Ｉ′線断面図である。
【図２Ｂ】図１を参照して説明した撮像装置のフレーム部材を説明するための図１のＩ−Ｉ′線断面図である。
【図３】図１を参照して説明した撮像装置において、弾性部材と光学部材との間の例示的な結合関係を説明するための分解斜視図である。
【図４】本発明の他の実施形態に係る撮像装置を説明するための概略的な断面図であって、撮像装置に光が入射する方向に撮像装置を切断したときの断面図である。
【図５】図４を参照して説明した撮像装置において、イメージセンサと弾性部材との間の例示的な結合関係を示す分解斜視図である。
【図６】図４を参照して説明した撮像装置において、弾性部材と光学部材との間の例示的な結合関係を示す分解斜視図である。
【図７】図１〜図３を参照して説明した撮像装置の変形撮像装置を概略的に示す断面図である。
【図８】図４〜図６を参照して説明した撮像装置の変形撮像装置を概略的に示す断面図である。
【図９】図１を参照して説明した撮像装置の光学部材の変形光学部材を示す断面図である。
【図１０Ａ】本発明の一実施形態に係る光学部材及びフレーム部材の間の例示的な結合関係を示す斜視図である。
【図１０Ｂ】本発明の一実施形態に係る光学部材及びフレーム部材の間の例示的な結合関係を示す断面図である。
【図１１Ａ】本発明の他の実施形態に係る光学部材及びフレーム部材の間の例示的な結合関係を示す斜視図である。
【図１１Ｂ】本発明の他の実施形態に係る光学部材及びフレーム部材の間の例示的な結合関係を示す断面図である。
【図１２】本発明の一実施形態に係る撮像装置を備えるデータ処理装置を概略的に示すブロック図である。
【符号の説明】
【００６４】
１０    基板
２０    イメージセンサ
３０      フレーム部材
４０、４０′    光学部材
５０    蓋部材
６０、６０′    弾性部材
２３    イメージセンサの光電変換部
２５    イメージセンサの周辺回路部
２７    イメージセンサのパッド
３３、３３′、３３ａ、３３ｂ    フレーム部材の支持部
３５ｒ    フレーム部材の凹部
４３ｕ、４３ｌ    レンズ
４５ｐ１、４５ｐ２、４５′ｐ１、４５′ｐ２、４５ｐ３    光学部材の突出部
４５ｃ、４５′ｃ    光学部材の接触部
４７ｒ    光学部材の凹部
５３    遮光板
５５    フィルタ
５７    開口部
１００、１００、４００、４００′    撮像装置
【図１】
2007171950.tif 000003
【図２Ａ】
2007171950.tif 000004
【図２Ｂ】
2007171950.tif 000005
【図３】
2007171950.tif 000006
【図４】
2007171950.tif 000007
【図５】
2007171950.tif 000008
【図６】
2007171950.tif 000009
【図７】
2007171950.tif 000010
【図８】
2007171950.tif 000011
【図９】
2007171950.tif 000012
【図１０Ａ】
2007171950.tif 000013
【図１０Ｂ】
2007171950.tif 000014
【図１１Ａ】
2007171950.tif 000015
【図１１Ｂ】
2007171950.tif 000016
【図１２】
2007171950.tif 000017